(57)【要約】【課題】長さと向きの少なくとも一方が異なる床板を間隙なく一面上に敷設することにより床を形成する床板セットを提供する。【解決手段】一面上に敷設することにより床を形成する複数の床板のセットであり、長手方向の長さが短手方向の幅の２倍又は３倍である矩形状を有する床板１０，２０，３０，４０を備える。それにより、床板１０，２０，３０，４０のうち、長さと向きの少なくとも一方が異なる少なくとも２つの床板を組み合わせて間隙なく一面上に敷設し、それにより床を形成することができる。【選択図】図１
0003197511.tif 000002
【実用新案登録請求の範囲】
【請求項１】
一面上に敷設することにより床を形成する床板セットであって、
長手方向の長さが所定の短手方向の幅の整数倍である矩形状を有する複数の床板を備える床板セット。
【請求項２】
前記整数倍は、２倍又は３倍であることを特徴とする、請求項１に記載の床板セット。
【請求項３】
前記複数の床板は、少なくとも２つの床板が連接されたユニットを複数含み、
前記複数のユニットは、前記一面上で少なくとも一軸方向に繰り返し敷設されることを特徴とする、請求項１又は２に記載の床板セット。
【請求項４】
前記複数のユニットのそれぞれは、前記長手方向の長さが前記短手方向の幅の３倍である床板の前記短手方向の一側の長辺に、前記長手方向の長さが前記短手方向の幅の２倍である別の床板の前記長手方向の一側の短辺を固定して鍵状に形成される少なくとも２つの床板を有することを特徴とする、請求項３に記載の床板セット。
【請求項５】
前記複数の床板のそれぞれは、雄ざねと雌ざねとを有し、
前記複数の床板は、前記短手方向の一側の長辺と前記長手方向の一側の短辺とに前記雄ざねを有し、前記短手方向の他側の長辺と前記長手方向の他側の短辺とに前記雌ざねを有する第１の床板と、前記短手方向の一側の長辺と前記長手方向の他側の短辺とに前記雄ざねを有し、前記短手方向の他側の長辺と前記長手方向の一側の短辺とに前記雌ざねを有する第２の床板と、含むことを特徴とする、請求項１から４のいずれか一項に記載の床板セット。
【請求項６】
一面上に敷設することにより床を形成する床板セットであって、
複数の矩形の床板を揃え、
前記複数の矩形の床板の全ては、前記一面上の第１方向（縦方向）の一側及び他側にそれぞれ雄ざね及び雌ざねを有し、前記第１方向に直交する前記一面上の第２方向（横方向）の一側及び他側にそれぞれ雄ざね及び雌ざねを有し、それぞれの前記雄ざねを別の床板の雌ざねに嵌合することで前記別の床板と連結されることを特徴とする、床板セット。
【考案の詳細な説明】
【技術分野】
【０００１】
本考案は、一面上に敷設することにより床を形成する床板セットに関する。
【背景技術】
【０００２】
一般住宅等の建築構造物において、例えば、フローリング（床板とも呼ぶ）を一面上に敷設することで木質の床面が構成される。しかし、すべての床板の形状は同じであり、同じ方向にそれらの長手を向けて配列されるため、構成される床面の表面に現れる模様は単調になる。
【０００３】
床板は、一軸方向を長手とする矩形状を有し、短手方向の一側の側面に長手方向に延びる雄ざね、他側の側面に長手方向に延びる雌ざねが形成されていることが多い。１つの床板の雄ざねを別の床板の雌ざねに繰り返し嵌合して、複数の床板を間隙なく一面上に配列することで床面が形成される（例えば、特許文献１及び２参照）。一方、雄ざね及び雌ざねを設けない床板によって床面を形成することも可能である。
【先行技術文献】
【特許文献】
【０００４】
【特許文献１】特開２００４−９２２２７号公報
【特許文献２】特開２００６−９７３８１号公報
【考案の概要】
【考案が解決しようとする課題】
【０００５】
本考案は、長さと向きの少なくとも一方が異なる床板を間隙なく一面上に敷設することにより床を形成する床板セットを提供することを課題とする。
【課題を解決するための手段】
【０００６】
本考案は、一面上に敷設することにより床を形成する床板セットであって、長手方向の長さが所定の短手方向の幅の整数倍である矩形状を有する複数の床板を備える床板セットである。
【０００７】
これによれば、複数の床板のそれぞれが長手方向の長さが短手方向の幅の整数倍である矩形状を有することで、長さと向きの少なくとも一方が異なる複数の床板を間隙なく一面上に敷設することができる。ここで、短手方向の幅を予め定められた所定の値として、複数の床板の短手方向の幅を揃える。
【０００８】
本考案の床板セットは、整数倍は、２倍又は３倍であることを特徴とする。
【０００９】
これによれば、長手方向の長さが短手方向の幅の２倍又は３倍の矩形状を有する複数の床板を組み合わせることで、複数の床板を間隙なく一面上に敷設することができる。
【００１０】
本考案の床板セットは、複数の床板は、少なくとも２つの床板が連接されたユニットを複数含み、複数のユニットは、一面上で少なくとも一軸方向に繰り返し敷設されることを特徴とする。
【００１１】
これによれば、少なくとも２つの床板が連接された複数のユニットを一面上で少なくとも一軸方向に繰り返し敷設することで、床を形成することができる。
【００１２】
本考案の床板セットは、複数のユニットのそれぞれは、長手方向の長さが短手方向の幅の３倍である床板の短手方向の一側の長辺に、長手方向の長さが短手方向の幅の２倍である別の床板の長手方向の一側の短辺を固定して鍵状に形成される少なくとも２つの床板を有することを特徴とする。
【００１３】
これによれば、複数のユニットを間隙なく一面上に敷設することにより床を形成することができる。
【００１４】
本考案の床板セットは、複数の床板のそれぞれは、雄ざねと雌ざねとを有し、複数の床板は、短手方向の一側の長辺と長手方向の一側の短辺とに雄ざねを有し、短手方向の他側の長辺と長手方向の他側の短辺とに雌ざねを有する第１の床板と、短手方向の一側の長辺と長手方向の他側の短辺とに雄ざねを有し、短手方向の他側の長辺と長手方向の一側の短辺とに雌ざねを有する第２の床板と、含むことを特徴とする。
【００１５】
これによれば、第１及び第２の床板の雄ざねを別の第１及び第２の床板の雌ざねに嵌合することで複数の床板を相互に固定することができる。
【００１６】
本考案は、一面上に敷設することにより床を形成する床板セットであって、複数の矩形の床板を揃え、複数の矩形の床板の全ては、一面上の第１方向（縦方向）の一側及び他側にそれぞれ雄ざね及び雌ざねを有し、第１方向に直交する一面上の第２方向（横方向）の一側及び他側にそれぞれ雄ざね及び雌ざねを有し、それぞれの雄ざねを別の床板の雌ざねに嵌合することで別の床板と連結されることを特徴とする。
【００１７】
これによれば、第１及び第２方向をそれぞれ長手とする第１及び第２の床板を、それらの雄ざねを別の第１又は第２の床板の雌ざねに嵌合することが、規則的にでき、確実である。向きの異なる複数の床板を一面上に間隙なく敷設することができる。また、必ずしも、短手方向の幅を所定の値に揃えずともよい。所定の幅の整数倍であれば間隙なく敷設することが容易である場合もある。
【考案の効果】
【００１８】
本考案の床板セットは、長さと向きの少なくとも一方が異なる床板を間隙なく一面上に敷設することにより床を形成することが可能になる。
【図面の簡単な説明】
【００１９】
【図１】図１は、床板の構成を示す上面図である。
【図２】図２は、床板の構成を示す断面図である。
【図３】図３は、床板の配列の一例を示す図である。
【図４】図４は、床板の配列の別の例を示す図である。
【図５】図５は、床板の配列の別の例を示す図である。
【図６】図６は、床板の配列の別の例を示す図である。
【図７】図７は、床板の配列の別の例を示す図である。
【図８】図８は、床板の配列の別の例を示す図である。
【考案を実施するための形態】
【００２０】
以下、本考案の実施形態について説明する。
【００２１】
図１（Ａ）〜（Ｄ）に、それぞれ、一実施形態に係る床板セットに含まれる４つの床板１０，２０，３０，４０の構成を示す。床板セットは、一面上に敷設することにより床を形成する複数の床板のセットであり、本実施形態では４つの床板１０，２０，３０，４０を含む。
【００２２】
床板１０は、図１（Ａ）に示すように上面視において、長手方向（図面横方向）の長さが短手方向（図面縦方向）の幅の２倍である矩形状を有する。床板１０は、短手方向の一側（図面上側）の長辺（すなわち、上辺）と長手方向の一側（図面右側）の短辺（すなわち、右辺）とにそれぞれ雄ざね１２ａ，１２ｂを有し、短手方向の他側（図面下側）の長辺（すなわち、下辺）と長手方向の他側（図面左側）の短辺（左辺）とにそれぞれ雌ざね１２ｃ，１２ｄを有する。
【００２３】
図２（Ａ）に、床板１０の断面構成を示す。図１（Ａ）におけるＡ−Ａ線断面図である。床板１０は、裏板１０ｃ、中板１０ｂ、及び表板１０ａから構成される。
【００２４】
裏板１０ｃは、その上に積層される中板及び表板を支持する基板であり、例えばプラスチック等の樹脂、セラミックス、金属等から成形された４ｍｍ厚の一枚板とする。
【００２５】
中板１０ｂは、床板１０を補強する板材であり、一例としてベニヤ板から成形される木質の７ｍｍ厚保の一枚板とする。なお、２以上のベニヤ板を重ねて、或いは１以上のべニア板を断湿性の金属シートで覆って中板を構成することとしてもよい。
【００２６】
中板１０ｂの側面にさねはぎ加工が施されて、雄ざねと雌ざねとが成形されている。中板１０ｂの雄ざねを別の床板の中板の雌ざねに嵌合することで、複数の床板を相互に固定することができる。
【００２７】
中板１０ｂの右側面に紙面垂直方向に延びる凸部、すなわち雄ざね１２ｂが、左側面に紙面垂直方向に延びる凹部、すなわち雌ざね１２ｄが形成されている。雄ざね１２ｂは、一例として、長さ２ｍｍ及び幅３ｍｍの矩形状の断面を有する。雌ざね１２ｄは、一例として、深さ２ｍｍ及び幅３ｍｍの矩形状の断面を有する。なお、床板１０の上辺に対応する中板の１０ｂの奥側面に、雄ざね１２ｂと同様の雄ざね１２ａが、床板１０の下辺に対応する中板の１０ｂの前側面に、雌ざね１２ｄと同様の雌ざね１２ｃが、形成されている（図１（Ａ）参照）。
【００２８】
表板１０ａは、床板の表面を飾る化粧板であり、一例として、天然木から成形された木質の４ｍｍ厚の一枚板とする。
【００２９】
床板１０は、裏板１０ｃの上面に接着層（不図示）を介して中板１０ｂを重ね、その上面に接着層（不図示）を介して表板１０ａ重ねて固定することで、成形される。
【００３０】
床板２０は、図１（Ｂ）に示すように上面視において、長手方向の長さが短手方向の幅の３倍である矩形状を有する。床板２０は、床板１０と同様に、上辺と右辺とにそれぞれ雄ざね２２ａ，２２ｂを有し、下辺と左辺とにそれぞれ雌ざね２２ｃ，２２ｄを有する。なお、床板２０の断面構成は、床板１０と同様である。
【００３１】
床板３０は、図１（Ｃ）に示すように上面視において、長手方向の長さが短手方向の幅の２倍である矩形状を有する。床板３０は、上辺と左辺とにそれぞれ雄ざね３２ａ，３２ｂを有し、下辺と右辺とにそれぞれ雌ざね３２ｃ，３２ｄを有する。なお、床板３０の断面構成は、床板１０，２０と同様である。
【００３２】
床板４０は、図１（Ｄ）に示すように上面視において、長手方向の長さが短手方向の幅の３倍である矩形状を有する。床板４０は、上辺と左辺とにそれぞれ雄ざね４２ａ，４２ｂを有し、下辺と右辺とにそれぞれ雌ざね４２ｃ，４２ｄを有する。なお、床板４０の断面構成は、床板１０，２０，３０と同様である。
【００３３】
図２に、床板１０と床板３０の断面構成を、対比して示す。図２（Ａ）〜（Ｄ）は、それぞれ、図１（Ａ）及び（Ｃ）における、Ａ−Ａ線、Ｂ−Ｂ線、Ｃ−Ｃ線、Ｄ−Ｄ線の断面図である。図２（Ｂ）と（Ｄ）を対比すると、雄ざね１２ａ、３２ａは同一方向（図１における上側）にある。これに対し、図２（Ａ）と（Ｃ）を対比すると、雄ざね１２ｂと３２ｂは、逆側（雄ざね１２ｂは図１（Ａ）における右側、雄ざね３２ｂは図１（Ｃ）における左側）にある。雄ざね１２ａ、３２ａを上辺に置いたとき、床板１０では雄ざね１２ｂが右辺に、床板３０では雄ざね３２ｂが左辺にある。このように、床板１０と床板３０とは、雄ざね（雌ざね）の位置が相違しており、これらの床板を組み合わせることで雄ざねと雌ざねを咬合させて平面に敷き詰めることが可能となる。
【００３４】
図３に、床板の配列の一例を示す。この例では、各１つの床板２０，３０が使用される。床板２０，３０は、床板２０の長手を横方向に向け、その下側の長辺に形成された雌ざね２２ｃに、床板３０を縦方向に向け、その上側の短辺に形成された雄ざね３２ｄを嵌合することで、互いに固定（連接）されて１つのユニット１００ａを構成する。
【００３５】
ユニット１００ａにおいて、図面上方向及び右方向を向く端面（上端面及び右端面）に雄ざね２２ａ，２２ｂ，３２ａが位置し、図面下方向及び左方向を向く端面（下端面及び左端面）に雌ざね２２ｃ，２２ｄ，３２ｄ，３２ｃが位置する。そこで、ユニット１００ａに含まれる床板２０の下端面の雌ざね２２ｃに別のユニットに含まれる床板２０の上端面の雄ざね２２ａを嵌合し、そのユニット１００ａに含まれる床板３０の右端面の雄ざね３２ａをその別のユニットの床板２０及び床板３０の左端面の雌ざね２２ｄ，３２ｃに嵌合して、ユニット１００ａに別のユニットを連接する。同様に、さらに別のユニットを連接して、一面上で、ユニット１００ａを右斜め方向（図面矢印方向）に繰り返し敷設する。
【００３６】
さらに、ユニット１００ａに含まれる床板３０の左端面の雌ざね３２ｃに別のユニットに含まれる床板２０の右端面の雄ざね２２ｂを嵌合し、そのユニット１００ａに含まれる床板３０の下端面の雄ざね３２ｄにさらに別のユニットの床板２０の上端面の雄ざね２２ａを嵌合して、ユニット１００ａに別のユニット及びさらに別のユニットを連接する。同様に、さらに別のユニットを連接して、一面上で、ユニット１００ａを左斜め方向（図面矢印方向）に繰り返し敷設する。
【００３７】
そのように、ユニット１００ａを、一面上で、右斜め方向に繰り返し間隙なく敷設し、さらに左斜めに繰り返し間隙なく敷設することで、床１００が形成される。
【００３８】
図４に、床板の配列の別の例を示す。この例では、各１つの床板２０，４０及び２つの床板３０が使用される。床板２０の長手を横方向に向け、その左側の短辺に形成された雌ざね２２ｄに、床板４０を縦方向に向け、その右側の長辺に形成された雄ざね４２ａを嵌合する。さらに、床板２０の下側の長辺に形成された雌ざね２２ｃに、床板３０を縦方向に向け、その上側の短辺に形成された雄ざね３２ｂを嵌合し、床板４０の右側の長辺に形成された雄ざね４２ａを、床板３０の左側の長辺に形成された雌ざね３２ｃに嵌合する。さらに、床板２０の下側の長辺に形成された雌ざね２２ｃに、床板３０を縦方向に向け、その上側の短辺に形成された雄ざね３２ａを嵌合し、先の床板３０の右側の長辺に形成された雄ざね３２ａを、床板３０の左側の長辺に形成された雌ざね３２ｃに嵌合する。それにより、床板２０，３０，４０が互いに固定（連接）されて１つのユニット１１０ａを構成する。
【００３９】
ユニット１１０ａにおいて、図面上方向及び右方向を向く端面（上端面及び右端面）に雄ざねが位置し、図面下方向及び左方向を向く端面（下端面及び左端面）に雌ざねが位置する。そこで、ユニット１１０ａの上及び右端面の雄ざねを別のユニットの下又は左端面の雌ざねに嵌合して、ユニット１１０ａを、一面上で、右斜め方向（図面矢印方向）に繰り返し間隙なく敷設し、さらに左斜め方向（図面矢印方向）に繰り返し間隙なく敷設することで、床１１０が形成される。
【００４０】
図５に、床板の配列のさらに別の例を示す。この例では、各１つの床板１０，２０，３０，４０が使用される。床板２０の長手を横方向に向け、その左側の短辺に形成された雌ざね２２ｄに、床板４０を縦方向に向け、その右側の長辺に形成された雄ざね４２ａを嵌合する。さらに、床板２０の下側の長辺に形成された雌ざね２２ｃに、床板３０を縦方向に向け、その上側の短辺に形成された雄ざね３２ｂを嵌合し、床板４０の右側の長辺に形成された雄ざね４２ａを、床板３０の左側の長辺に形成された雌ざね３２ｃに嵌合する。さらに、床板２０の下側の長辺に形成された雌ざね２２ｃに、床板１０を横方向に向け、その上側の長辺に形成された雄ざね１２ａを嵌合し、床板３０の右側の長辺に形成された雄ざね３２ａを、床板１０の左側の長辺に形成された雌ざね１２ｃに嵌合する。それにより、床板１０，２０，３０，４０が互いに固定（連接）されて１つのユニット１２０ａを構成する。
【００４１】
ユニット１２０ａにおいて、図面上方向及び右方向を向く端面（上端面及び右端面）に雄ざねが位置し、図面下方向及び左方向を向く端面（下端面及び左端面）に雌ざねが位置する。そこで、ユニット１２０ａの上及び右端面の雄ざねを別のユニットの下又は左端面の雌ざねに嵌合して、ユニット１２０ａを、一面上で、右斜め方向（図面矢印方向）に繰り返し間隙なく敷設し、さらに左斜め方向（図面矢印方向）に繰り返し間隙なく敷設することで、床１２０が形成される。
【００４２】
図６に、床板の配列のさらに別の例を示す。この例では、各２つの床板２０，３０，４０が使用される。１つめの床板２０の長手を横方向に向け、その下側の長辺に、左から順に１つめの床板３０、１つめの床板４０、及び２つめの床板３０の上端を固定する。さらに、１つめの床板２０及び２つめの床板３０の右側の端面に、２つめの床板４０の長手を縦方向に向け、その左側の長辺を固定する。さらに、２つめの床板３０と２つめの床板４０との下側の端面及び１つめの床板４０の右側の長辺に、２つめの床板２０の長手を横方向に向けて、それぞれ、その上側の長辺及び左側の短辺を固定する。それにより、床板２０，３０，４０が互いに固定（連接）されて１つのユニット１３０ａを構成する。
【００４３】
ユニット１３０ａにおいて、図面上方向及び右方向を向く端面（上端面及び右端面）に雄ざねが位置し、図面下方向及び左方向を向く端面（下端面及び左端面）に雌ざねが位置する。そこで、ユニット１３０ａの上及び右端面の雄ざねを別のユニットの下又は左端面の雌ざねに嵌合して、ユニット１３０ａを、一面上で、右方向（図面矢印方向）に繰り返し間隙なく敷設し、さらに下方向（図面矢印方向）に繰り返し間隙なく敷設することで、床１３０が形成される。
【００４４】
図７に、床板の配列のさらに別の例を示す。この例では、各２つの床板１０，２０，３０，４０が使用される。特に、各２つの床板３０，４０から構成されるサブユニットと各２つの床板１０，２０から構成されるサブユニットとの２つのサブユニットからなるユニットを含む。
【００４５】
１つめのサブユニットは、次のように構成される。１つめの床板３０の長手を縦方向に向け、その右側の長辺に、１つめの床板４０を縦方向に向け、その左側の長辺を固定する。このとき、床板４０の上端は床板３０の上端に合わせられる。さらに、１つめの床板４０の右側の長辺に、２つめの床板４０の長手を縦方向に向けて、その左側の長辺を固定する。このとき、２つめの床板４０の下端が１つめの床板３０の下端に合わせられる。さらに、２つめの床板４０の右側の長辺に、２つめの床板３０の長手を縦方向に向けて、その左側の長辺を固定する。このとき、２つめの床板３０の下端が２つめの床板４０の下端に合わせられる。
【００４６】
２つめのサブユニットは、次のように構成される。１つめの床板１０の長手を横方向に向け、その下側の長辺に、１つめの床板２０を横方向に向け、その上側の長辺を固定する。このとき、床板２０の右端は床板１０の右端に合わせられる。さらに、１つめの床板２０の下側の長辺に、２つめの床板２０の長手を横方向に向けて、その上側の長辺を固定する。このとき、２つめの床板２０の左端が１つめの床板１０の左端に合わせられる。さらに、２つめの床板２０の下側の長辺に、２つめの床板１０の長手を縦方向に向けて、その上側の長辺を固定する。このとき、２つめの床板１０の左端が２つめの床板２０の左端に合わせられる。
【００４７】
上述のように構成された１つめのサブユニットの右側に２つめのサブユニットを固定することで、１つのユニット１４０ａが構成される。
【００４８】
ユニット１４０ａにおいて、図面上方向及び右方向を向く端面（上端面及び右端面）に雄ざねが位置し、図面下方向及び左方向を向く端面（下端面及び左端面）に雌ざねが位置する。そこで、ユニット１４０ａの上及び右端面の雄ざねを別のユニットの下又は左端面の雌ざねに嵌合して、ユニット１４０ａを、一面上で、右斜め方向（図面矢印方向）に繰り返し間隙なく敷設し、さらに左斜め方向（図面矢印方向）に繰り返し間隙なく敷設することで、床１４０が形成される。
【００４９】
図８に、床板の配列のさらに別の例を示す。ユニット１５０ａは、図４に示したユニット１１０ａと外形は同一である。内部において、この例では、正方形の床板が用いられている。正方形の床板は、図４においては２枚であった床板３０を１枚の床板３０ａとしたものである。このように、床板の短手方向の幅が一定でない構成も可能である。
【００５０】
以上詳細に説明したように、本実施形態の床板セットは、一面上に敷設することにより床を形成する複数の床板のセットであり、長手方向の長さが短手方向の幅の２倍又は３倍である矩形状を有する床板１０，２０，３０，４０を備える。それにより、床板１０，２０，３０，４０のうち、長さと向きの少なくとも一方が異なる少なくとも２つの床板を組み合わせて間隙なく一面上に敷設し、それにより床を形成することができる。
【００５１】
なお、床板１０，２０，３０，４０は、長手方向の長さが短手方向の幅の２又は３倍の整数倍である矩形状を有することとしたが、その他の整数倍の矩形状を有することとしてもよいし、その他の整数倍の矩形状を有する床板を床板セットに含めることとしてもよい。それにより、長さと向きの異なる複数の床板を組み合わせて間隙なく一面上に敷設し、それにより床を形成することができる。
【００５２】
また、本実施形態の床板セットは、一面上に敷設することにより床を形成する床板セットであり、床板１０，２０及び床板３０，４０の長手を横それぞれ方向及び縦方向に向けた際に、これらの床板は、縦方向の上側及び下側にそれぞれ雄ざね及び雌ざねを有し、横方向の右側及び左側にそれぞれ雄ざね及び雌ざねを有し、それぞれの雄ざねを別の床板の雌ざねに嵌合することで別の床板と連結される。それにより、床板１０，２０，３０，４０を互いに固定することで、向きの異なる複数の床板を一面上に間隙なく敷設することができる。
【００５３】
また、本実施形態の床板セットによれば、床板１０，２０，３０，４０は、長手方向の長さが短手方向の幅の整数倍である矩形状を有する。それにより、床板１０，２０，３０，４０を適当に組み合わせて間隙なく一面上に敷設して床を形成することができる。
【００５４】
なお、床板１０，２０，３０，４０のうちの任意の２つ以上、特に床板１０，２０の少なくとも一方と床板３０，４０の少なくとも一方を含む２つ以上の床板を組み合わせて、ユニットを構成することとする。このとき、さらに、長手方向の長さの異なる２つの床板、例えば床板１０，２０の両方を含める、これに代えて又はこれに加えてさら床板３０，４０の両方を含めてユニットを構成してもよい。それにより、複数の床板を組み合わせて、一面上に間隙なく敷設することができる。
【００５５】
なお、床板１０，２０，３０，４０の雄ざね及び雌ざねの配置は任意であり、例えば、床板１０，２０及び床板３０，４０の長手を横それぞれ方向及び縦方向に向けた際に、これらの床板は、縦方向の上側及び下側にそれぞれ雄ざね及び雌ざねを有し、横方向の右側及び左側にそれぞれ雌ざね及び雄ざねを有することとしてもよい。係る場合、複数の床板を用いて構成されるユニットにおいて、上端面及び左端面に雄ざねが位置し、下端面及び右端面に雌ざねが位置することとなる。
【産業上の利用可能性】
【００５６】
本考案の床板セットは、長さと向きの少なくとも一方が異なる床板を間隙なく一面上に敷設することにより床を形成するのに好適である。
【符号の説明】
【００５７】
１０    床板
１０ａ  表板
１０ｂ  中板
１０ｃ  裏板
１２ａ  雄ざね
１２ｂ  雄ざね
１２ｃ  雌ざね
１２ｄ  雌ざね
２０    床板
３０    床板
３２ａ  雄ざね
３２ｂ  雄ざね
３２ｃ  雌ざね
３２ｄ  雌ざね
４０    床板
１００    床
１００ａ  ユニット
１１０    床
１１０ａ  ユニット
１２０    床
１２０ａ  ユニット
１３０    床
１３０ａ  ユニット
１４０    床
１４０ａ  ユニット
１５０    床
１５０ａ  ユニット
【図１】
0003197511.tif 000003
【図２】
0003197511.tif 000004
【図３】
0003197511.tif 000005
【図４】
0003197511.tif 000006
【図５】
0003197511.tif 000007
【図６】
0003197511.tif 000008
【図７】
0003197511.tif 000009
【図８】
0003197511.tif 000010